(57)【特許請求の範囲】
【請求項１】
送話部と、受話部と、前記送話部と受話部を回動可能に接続するヒンジ部と、
夫々導体パターンが配設された第１、第２の経路部を有し、両経路部の一部が重なるように折り畳まれたフレキシブルプリント基板とを備え、
前記フレキシブルプリント基板の重なった部分の一部が前記ヒンジ部で螺旋している折畳式携帯電話端末であって、
前記フレキシブルプリント基板の螺旋する部分の形状は、ヒンジ部の軸方向と垂直な方向に対し、斜めに延在する形状となっており、
前記折り畳みの折り目は前記ヒンジ部外に設けられ、且つ、前記折り目の方向とは直角方向のずれ防止手段を前記経路部の一端側のみに備えたことを特徴とする折畳式携帯電話端末。
【発明の詳細な説明】
【０００１】
【産業上の利用分野】
本発明はフレキシブルプリント基板がヒンジ部で螺旋する折畳式携帯電話端末に関する。
【０００２】
【従来の技術】
現在、折畳式携帯電話機や折畳式ＰＨＳ（Ｐｅｒｓｏｎａｌ  Ｈａｎｄｙｐｈｏｎｅ  Ｓｙｓｔｅｍ）が市販されている。この折畳式の端末は、２つの筐体をヒンジ部で結合するため、これらの間をフレキシブルプリント基板にて接続する必要がある。ところで、このフレキシブルプリント基板は端末自体の小型化のために幅を広くすることができない。その上、開閉による断線等の損傷を防止するために、フレキシブルプリント基板のヒンジ部は、螺旋状に巻かれており（特開平１−８９８４５号公報参照）、幅をより狭くしなければならない。
【０００３】
しかし、携帯電話機の機能向上により、フレキシブルプリント基板に納めなければならない導体パターンの数は増加する一方であり、フレキシブルプリント基板の幅は折畳式の端末に対する許容幅を超えるようになった。これを解決するために、両面のフレキシブルプリント基板を使用することが考えられる。しかしながら、両面のフレキシブルプリント基板は片面に比べて層の厚さが厚いために、曲げによって外側の層の導体パターンに加えられる引張り力が大きくなり、開閉の耐久性が低下するという問題がある。
【０００４】
【発明が解決しようとする課題】
そこで、フレキシブルプリント基板を折り畳む方法が考えられる。この方法であれば、導体パターンの数が増加したフレキシブルプリント基板の層数を増すことなく、狭い幅に配設することができるようになる。しかしながら、螺旋部のフレキシブルプリント基板を二重にすると、携帯電話端末が開くときは螺旋部の内側経路と外側経路の半径の差が大きくなり、閉じるときは小さくなるという問題が発生するために、この解決方法が必要となった。
【０００５】
【課題を解決するための手段】
本発明の携帯電話装置はかかる点に鑑みなされたもので、送話部と、受話部と、前記送話部と受話部を回動可能に接続するヒンジ部と、夫々導体パターンが配設された第１、第２の経路部を有し、両経路部の一部が重なるように折り畳まれたフレキシブルプリント基板とを備え、前記フレキシブルプリント基板の重なった部分の一部が前記ヒンジ部で螺旋している折畳式携帯電話端末であって、前記フレキシブルプリント基板の螺旋する部分の形状は、ヒンジ部の軸方向と垂直な方向に対し、斜めに延在する形状となっており、前記折り畳みの折り目は前記ヒンジ部外に設けられ、且つ、前記折り目の方向とは直角方向のずれ防止手段を前記経路部の一端側のみに備えたことを特徴とする。
【０００６】
【発明の実施の形態】
本発明の実施例の形態を図に基づき説明する。図１は折り曲げる前のフレキシブルプリント基板（１）のシールド処理前のおもて面を示す平面図であり、図２はシールド処理後のおもて面を示す平面図である。図３は折り曲げる前の裏面を示す平面図である。図４は折り曲げた状態のフレキシブルプリント基板（１）を示す平面図であり、図５はこの右側面図である。
【０００７】
図１の折り曲げる前のフレキシブルプリント基板（１）に於いて、導体パターン（１１）が第１の絶縁シート（１２）に真空蒸着され、第２の絶縁シート（１３）により、接点となる部分（後述）を残して絶縁される。
【０００８】
導体パターン（１１）は厚さが約４０μｍの銀であり、アース用の第１パターン（１１１）と、信号用の第２パターン（１１２）と信号用の第３パターン（１１３）からなる。
【０００９】
第１、第２の絶縁シート（１２）（１３）は厚さが約１２．５μｍ（ハーフミル）のポリイミドあるいはポリエステルである。第２の絶縁シート（１３：図１，２，４の右上がり斜線部）による絶縁は、フレキシブルプリント基板（１）がコネクタ（図６の２ａ）（図６の３ａ）に接続されるタブ（１１１ａ）（１１１ｂ）（１１２ａ）（１１２ｂ）（１１３ａ）（１１３ｂ）とシールド用のアース部（１１１Ｃ）（１１１Ｄ）を残して行われる。
【００１０】
図２に示す如く、第２の絶縁シート（１３）の表面にアルミニューム（１４）が真空蒸着される。このアルミニューム（１４：図２，４の右下がり斜線部）はシールド用であり、そのアースはアース部（１１１Ｃ）（１１１Ｄ）によりアース用の第１パターン（１１１）と電気的に接合される。アース部（１１１Ｃ）（１１１Ｄ）の位置は屈曲の影響が少ないタブ（１１１ａ）（１１１ｂ）の近傍に２箇所設けられる。
【００１１】
図３に示す如く、一方のタブ側のみに粘着材（両面テープ）（１５）が貼られる。そして、図１〜図３に示す折り目の線で、第１の絶縁シート（１２）が内側になるように折り畳まれる。折り畳まれると、粘着材（１５）により一方のタブ側が折り目とは直角方向にもずれにくくなる。アース用の第１パターン（１１１）と信号用の第２パターン（１１２）が占める領域の中央部は、折り目に対して信号用の第３パターン（１１３）が占める領域の中央部と線対称になっている。このために、折り畳まれた状態（図４）では、これらの領域の中央部が重なる。これにより、シールド用のアルミニューム（１４）を第１の絶縁シート（１２）に蒸着することなく、導体パターン（１１）の中央部の位置をシールド用のアルミニューム（１４）の間にすることができる。
【００１２】
図６はフレキシブルプリント基板（１）を携帯電話端末に組み込む前の状態を示す部分透過斜視図であり、図７は組み込んだ後の状態を示す部分透過斜視図である。
【００１３】
フレキシブルプリント基板（１）が組み込まれる携帯電話端末は受話部（４）と、送話部（５）と、受話部（４）と送話部（５）を回動可能に接続するヒンジ部（６）を備えた折畳式である。
【００１４】
図６に示す如く、フレキシブルプリント基板（１）は、中央部が１回転された状態で、第１のプリント基板（２）の第１のコネクタ（２ａ）と第２のプリント基板（３）のコネクタ（３ａ）に接続される。そして、図７に示す如く、フレキシブルプリント基板（１）の螺旋部分（回転された部分）が携帯電話端末のヒンジ部（６）に入るように取り付けられる。このように、フレキシブルプリント基板（１）をヒンジ部（６）で１回転させることにより、携帯電話端末の開閉に対する耐久性が向上する（特開平１−８９８４５号公報参照）。
【００１５】
ところで、携帯電話端末が開くときは螺旋部の内側と外側の半径の差が大きくなり、閉じるときは小さくなる。そこで、本発明のフレキシブルプリント基板（１）はヒンジ部（６）内には折り目を設けないようにしている。これにより、ヒンジ部（６）内ではフレキシブルプリント基板（１）の外側と内側が相対的に移動可能となる。また、折り畳んだフレキシブルプリント基板（１）が開くのを防止するために、保持手段は必要である。本発明のフレキシブルプリント基板（１）は保持手段として、一方のタブ側のみ粘着材で接合させているために、この開閉時に於ける螺旋部の内側と外側の半径の差を他方のタブ側で幾分吸収することができる。
【００１６】
尚、上述の実施例のフレキシブルプリント基板は片面であったが、これに限定するものではない。
【００１７】
また、上述の実施例ではフレキシブルプリント基板を折り畳んだときに導体パターンが重なったが、本発明は、導体パターンが重なることが必須の条件ではなく、導電体が固着された側の絶縁シートが折り畳まれて導体パターンの位置が導電体の間になればよい。
【００１８】
【発明の効果】
フレキシブルプリント基板を折り畳む開閉式携帯電話端末は、導体パターンの数が増加したフレキシブルプリント基板の層数を増すことなく、狭い幅に配設することができる。この場合、螺旋部のフレキシブルプリント基板を二重にすると携帯電話端末が開くときは螺旋部の内側経路と外側経路の半径の差が大きくなり、閉じるときは小さくなるという問題がある。
【００１９】
本発明は、折り目をヒンジ部外に設け、且つ、折り目の方向とは直角方向のずれ防止手段を経路部の一端側のみに設けることにより、螺旋部の内側と外側の半径の差の変化を経路部の他端側で吸収することができる。又、フレキシブルプリント基板を曲げた形状とすることにより、筐体の開閉時にフレキシブルプリント基板に亀裂が入ることを回避することができる。
【図面の簡単な説明】
【図１】本実施例の折り曲げる前のフレキシブルプリント基板のシールド処理前のおもて面を示す平面図である。
【図２】シールド処理後のおもて面を示す平面図である。
【図３】折り曲げる前のフレキシブルプリント基板の裏面を示す平面図である。
【図４】折り曲げた状態のフレキシブルプリント基板を示す平面図である。
【図５】図４の右側面図である。
【図６】フレキシブルプリント基板を携帯電話端末に組み込む前の状態を示す部分透過斜視図である。
【図７】図６の組み込んだ後の状態を示す部分透過斜視図である。
【符号の説明】
１  フレキシブルプリント基板
１１  導体パターン
１１１  第１の導体パターン
１１２  第２の導体パターン
１１３  第３の導体パターン
１２  第１の絶縁シート
１３  第２の絶縁シート
１４  導電体
１５  粘着材
２  第１のプリント基板
３  第３のプリント基板
４  受信部
５  送信部
６  ヒンジ部
【図１】
0003773782.tif 000002
【図２】
0003773782.tif 000003
【図３】
0003773782.tif 000004
【図４】
0003773782.tif 000005
【図５】
0003773782.tif 000006
【図６】
0003773782.tif 000007
【図７】
0003773782.tif 000008